(57)【要約】  ハーネス使用時に前肢の前で四足動物の胸部を横切る胸部ストラップ（１２）を備えた四足動物用のハーネスであって、上記ハーネスは、先導ストラップ（３０）用の付属部品（２８）を備え、上記付属部品（２８）は上記胸部ストラップにその動きに応じてスライド可能なように取り付けられている。上記胸部ストラップの各端部は、上記ハーネス使用時、上記前肢の後ろで上記動物の胴体周りを通る胴体用ループ（１４）に取り付けられている。上記胴体用ループ（１４）は、上記ハーネス使用時、上記動物の背部を横切る背部ストラップ（１８）を備え、上記背部ストラップ（１８）は、上記ハーネス使用時、上記前肢の後ろで上記動物の下を通る下部ストラップ（２０）に取り付けられている。
2007508836.tif 000002
【特許請求の範囲】
【請求項１】
ハーネス使用時に前肢の前で四足動物の胸部を横切る胸部ストラップを備えた四足動物用ハーネスであって、上記ハーネスが先導ストラップ用付属部品を備え、上記付属部品が上記胸部ストラップに沿ってその動きに応じてスライド可能なように取り付けられている四足動物用ハーネス。
【請求項２】
上記先導ストラップ用付属部は上記胸部ストラップが通るリングである請求項１記載のハーネス。
【請求項３】
さらに固定用連結部を備えており、上記固定用連結部の一端が上記胸部ストラップに取り付けられており、その他端が上記ハーネス使用時に上記動物の首周囲の首輪に取り付けられるようになっている請求項１または２記載のハーネス。
【請求項４】
上記固定用連結部が上記胸部ストラップに沿ってその動きに応じてスライド可能なように取り付けられている請求項３記載のハーネス。
【請求項５】
上記先導ストラップ用付属部品と上記固定用連結部とが、上記胸部ストラップに沿ってともに動くように連結されている請求項４記載のハーネス。
【請求項６】
上記固定用連結部が鞍帯に連結され、上記鞍帯には上記胸部ストラップのループが通る請求項３〜５のいずれか一項に記載のハーネス。
【請求項７】
上記先導ストラップ用付属部品が上記胸部ストラップの上記ループに取り付けられており、これにより上記鞍帯が上記胸部ストラップに保持されている請求項６記載のハーネス。
【請求項８】
さらに胴体用ループを備えており、上記胴体用ループには胸部ストラップの各端部が取り付けられており、上記胴体用ループは上記ハーネス使用時に上記前肢の後ろで上記動物の上記胴体周りを通っている上記いずれか一項に記載のハーネス。
【請求項９】
上記胴体用ループが、上記ハーネス使用時、上記動物の背部を横切る背部ストラップを備え、上記背部ストラップは、上記ハーネス使用時、上記前肢の後ろで上記動物の下を通る下部ストラップに取り付けられている請求項８記載のハーネス。
【請求項１０】
上記背部ストラップが揺動可能に上記下部ストラップに取り付けられている請求項９記載のハーネス。
【請求項１１】
先導ストラップ用第二付属部品が上記背部ストラップに備えられている請求項９または１０記載のハーネス。
【請求項１２】
上記胸部ストラップの両端が、上記背部ストラップと上記下部ストラップとの連結部で上記胴体ループに揺動可能に取り付けられる請求項９〜１１いずれか一項に記載のハーネス。
【請求項１３】
上記胴体ループが留め金を備えており、上記留め金により上記胴体ループを開いて上記ハーネス使用時に上記ハーネスを動物に装着したり、取り外したりできる請求項８〜１２いずれか一項に記載のハーネス。
【請求項１４】
少なくとも１つのストラップまたはループの長さが調整可能である上記いずれか一項に記載のハーネス。
【請求項１５】
犬専用である上記いずれか一項に記載のハーネス。
【請求項１６】
上記胸部ストラップに取り付けられた先導ストラップ用付属部品が、上記胸部ストラップに沿った自由な動きに対して制約がある上記いずれか一項に記載のハーネス。
【請求項１７】
先導ストラップ用第二付属部品が、上記背部ストラップに沿った自由な動きに対して制約がある上記いずれか一項に記載のハーネス。
【請求項１８】
上記胸部ストラップがポリエステルウェビング製である上記いずれか一項に記載のハーネス。
【請求項１９】
実質上、図面に基づいた上記に記載のハーネス。
【請求項２０】
上記いずれか一項に記載のハーネスを犬または他の四足動物に取り付け、上記先導ストラップ用付属部品または先導ストラップ用各付属部品に先導ストラップを取り付ける、犬または他の四足動物を制御する方法。
【請求項２１】
実質上、上記に記載の犬を制御する方法。
【発明の詳細な説明】
【技術分野】
【０００１】
本発明は、動物用ハーネスに関するものであり、特に四足動物、なかでも犬専用ハーネスに関するものである。
【背景技術】
【０００２】
従来、犬は、その首周りの首輪に取り付けられた先導ストラップまたはリードによって誘導される。リードと首輪によってある程度犬を制御するのに効果はあるが、上記リードに対して反対方向に引っぱっている犬にとっては不快なはずであり、このしくみは上記犬を右または左に向かせるためには使用できない。ただ単に、上記犬を右か左に引っ張るのに使用できるだけである。犬の胴体周りに通したハーネスで、上記犬の背中を横切るハーネスストラップの中央にリードが取り付けられたハーネスもまた公知である。そのようなハーネスもやはり、犬を制御するのには効果があるが、ただ単に、上記犬を右か左に引っ張るのに使用できるだけであり、上記犬を誘導することはできない。
【０００３】
犬の鼻と首周りに取り付ける犬用端綱もまた公知である。首ループが、頬ストラップにより鼻ループに取り付けられている。上記頬ストラップは、上記首および鼻ループと、顎ストラップとの間を結ぶ。上記顎ストラップは、上記首ループと犬の顎の下の上記鼻ループの周りの鞍帯との間をつないでいる。リードは上記鞍帯が通る上記ループに取り付けられている。そのような端綱は、登録商標ＨＡＬＴＩで販売されている。この端綱を使えば、上記リードをひくことによって、犬の頭を左右に向かせることができるので、上記犬への不快感を起こさず制御でき、右や左へ誘導することもできる。
【発明の開示】
【発明が解決しようとする課題】
【０００４】
不快感を与えずに犬を制御でき、ただ単に犬を引っ張るのではなく、犬を左右に誘導できるハーネスの提供が望まれている。犬やその他の動物によっては、端綱よりハーネスの方が好ましい場合もある。なぜなら、上記端綱によって犬に課される力は、上記犬の体のより広範囲でより頑丈な部位におよぶからである。Ｓｏｆｔ  Ｔｏｕｃｈ  Ｃｏｎｃｅｐｔｓ社（米国カリフォルニア州フレモント）製の犬用ハーネスは、犬の胸部を横切るストラップに固定されたリード用の接続部が備えられている。しかしながら、上記リードを引いて犬を左右に向かせようとしても、上記ハーネスは上記犬の周りで空回りする傾向があって、それによって効果が減じるし、犬にも不快感を与える。
【課題を解決するための手段】
【０００５】
本発明は、ハーネス使用時に前肢の前で四足動物の胸部を横切る胸部ストラップを備えた四足動物用のハーネスであって、上記ハーネスが先導ストラップ用付属部品を備え、上記付属部品が上記胸部ストラップに沿ってその動きに応じてスライド可能なように取り付けられている四足動物用ハーネスを提供することを目的とする。好ましくは、胸部ストラップの各端部が胴体用ループに取り付けられており、上記胴体用ループは上記ハーネス使用時に上記前肢の後ろで上記動物の上記胴体周りを通っている。好ましくは、上記胴体用ループは、上記ハーネス使用時、上記動物の背部を横切る背部ストラップを備え、上記背部ストラップが、上記ハーネス使用時、上記前肢の後ろで上記動物の下を通る下部ストラップに取り付けられている。本発明の好ましい態様において、先導ストラップ用第二付属部品が上記背部ストラップに備えられている。
【０００６】
特に好ましくは、上記ハーネスが固定用連結部を備えており、上記固定用連結部の一端が上記胸部ストラップに取り付けられており、その他端が上記ハーネス使用時に上記動物の首周りの首輪に取り付けられるようになっている。より好ましくは、上記固定用連結部が、上記胸部ストラップに沿ってその動きに応じてスライド可能なように取り付けられている。さらにより好ましくは、上記先導ストラップ用付属部品と上記固定用連結部とが、上記胸部ストラップに沿ってともに動くように連結されている。
【０００７】
上記ハーネスのこれらのストラップは、ウェビング製または動物用ハーネスに使用するにふさわしい他の材質からなり、ネオプレンやその他柔軟な材質で裏打ちされていてもよい。上記胸部ストラップの材質としては、上記先導ストラップ用付属部品がそれに沿って容易に動いて、上記ハーネスが動物の誘導不能に陥ることがないような材質から（以下の好ましい態様に記載のような方法で）選択するのが好ましい。ポリエステルウェビングのような合成繊維ウェビングが、上記胸部ストラップに適切な材質であることが判明している。
【０００８】
また、本発明は、本発明のハーネスを犬または他の四足動物に取り付け、先導ストラップ用付属部品または各付属部品に先導ストラップを取り付けることからなる、上記動物を制御する方法も含む。
【発明を実施するための最良の形態】
【０００９】
つぎに、本発明を図面にもとづいて詳しく説明する。
【００１０】
図１，図２および図３に図示された、本発明の第一の好ましい態様のハーネス１０は犬専用である。上記ハーネス１０は、胸部ストラップ１２を備えており、その各端部が２つの中心リング１６の１つにより胴体ループ１４に取り付けられている。上記胴体ループ１４は、背部ストラップ１８を備えており、その各端部は上記中心リング１６によって下部ストラップ２０の端部に取り付けられている。上記下部ストラップ２０は留め金２２を備えており、これにより上記胴体ループ１４を開くことができる。
【００１１】
上記胸部ストラップ１２のループ２４は鞍帯リング２６を通っており、上記鞍帯リング２６を通って後ろに戻ってしまうことを、リード３０が取り付けられているリードリング２８により防止している。上記ループ２４をなす上記胸部ストラップの一部は、上記リードリング２８を通る。上記リードリング２８は上記鞍帯リング２６が上記胸部ストラップ１２から抜け落ちないような直径となっている。
【００１２】
固定用連結部は、固定用ストラップ３２からなり、上記固定用ストラップ３２の自由端に上記鞍帯リング２６と開閉可能なバネクリップ３４とが取り付けられている。上記固定用ストラップ３２は、図３から分かるように、犬４０に取り付けたとき、上記クリップ３４がリング３６に取り付けられており、上記リング３６は犬４０の首輪３８においてスライド可能なような長さである。したがって、使用に際し、上記胸部ストラップ１２は上記犬４０の胸部を横切って正しい位置に保持される。
【００１３】
上記ハーネスの上記胸部ストラップ１２、上記背部ストラップ１８、および上記下部ストラップ２０は、長さ調節器４４を備えているので、上記ハーネスはさまざまなサイズの犬に対応できる。上記固定用ストラップ３２もまた調節器を備えている。
【００１４】
図３から分かるように、使用時には、上記ハーネス１０は、上記胸部ストラップ１２が犬の前肢４２の前で上記犬の胸部を横切り、上記背部ストラップ１８がその前肢４２の上で上記犬の背中を横切り、上記下部ストラップ２０がその前肢４２のすぐ後ろを通るように、犬４０に取り付ける。上記下部ストラップ２０の上記留め金２２を開くことにより、上記ハーネスを上記犬４０の周りに装着して、閉じることにより上記ハーネスを上記犬に正しく位置決めできる。
【００１５】
上記固定用ストラップ３２の端部の上記クリップ３４は、上記犬の首周りの首輪３８上でスライド可能なリング３６に取り付けられる。上記固定用連結部３２，３４は、上記犬の胸部を横切る正しい位置で上記胸部ストラップ１２を維持するのに役立つ。リード３０は、上記胸部ストラップ１２の上記リードリング２８に取り付けられる。
【００１６】
上記ハーネス１０を装着した犬を散歩させるとき、上記リード３０は上記犬の右側または左側で保持される。通常の前進歩行では、上記鞍帯リング２６と上記リードリング２８が上記犬の胸部を横切る中央に位置する。もし、上記犬が上記リードに抗して引っ張っても、上記固定用連結部３２，３４が、この状態で、上記胸部ストラップ１２が犬の胸部上を後ろに滑るのを防ぐために、犬は即座に制御される。本発明のハーネスを装着した犬は、他の方法でリードされている場合より、上記リードに抗して引っ張ることが少ないことが分かっている。
【００１７】
上記犬を上記リードが通っている側の方向に向かせるためには、上記リードをその方向にやさしく引けばよい。そうすることにより、上記背部ストラップ１８が上記犬の反対側の肩をそっと押すので、上記犬は上記リードの方向に向くよう仕向けられる。同時に、上記犬の体の周りで上記ハーネス１０が滑るのを上記リードリング２６と上記鞍帯リング２４、および、上記リードが引かれた方向に、上記ハーネスの上記胸部ストラップ１２に沿ってスライドする上記固定用連結部３２，３４とによって防いでいる。上記鞍帯リング２４と上記リードリング２６との仕組みは、上記両リングが上記胸部ストラップ１２において完全に自由にスライドする訳ではなく、上記背部ストラップ１８によって上記犬の反対側の肩をそっと押している間、上記ハーネスが滑るのを防止するのに充分な程度にスライドする。上記胸部ストラップ１２は、上記固定用連結部３２，３４により、上記犬の胸部で後ろ方向への動きが制限されている。
【００１８】
上記犬をもう一方の方向に向かせるためには、上記リードを上記犬の前を通して、上記リードが上記犬の反対側を通るようにする。向きを変えさせる方法は上述の通りである。または、上記リードを上記犬の同じ側のままにして、上記犬を逆側に向かせてもよい。上記リードを上記犬の首の反対方向にやさしく引けば、上記犬は上記リードとは反対方向に向きを変えるよう誘導される。
【００１９】
ハーネス１０を装着した犬が前進をいやがった場合には、上記リードをやさしく引くことにより前進するよう仕向けることができる。
【００２０】
上記胸部ストラップ１２、上記背部ストラップ１８および上記下部ストラップ２０が取り付けられている、上記胴体ループ１４の上記２つの中心リング１６により、これらのストラップが互いにゆがむことなく動くことができる。これらのストラップが実質的に上記犬の体に密着するので、上記ハーネスは上記犬の動きに応じて収縮できる。
【００２１】
図４，図５および図６に図示されている、本発明の第二の好ましい態様のハーネス６０もまた、犬専用である。この態様におけるこのハーネス６０は、胸部ストラップ６２を備えており、その各端部が胴体ループ６４に取り付けられている。上記胸部ストラップ６２の両端は上記胴体ループ６４におけるループ６６を通っており、上記胸部ストラップ上の調節器１００に取り付けて、上記胸部ストラップを上記胴体ループに固定している。上記胴体ループ６４は下部ストラップ７０と接続する背部ストラップ６８を備えている。上記下部ストラップ７０は留め金７２を備えており、これにより、上記胴体ループ６４を開くことができる。
【００２２】
上記胸部ストラップ６２のループ７４は鞍帯リング７６を通っている。上記ループ７４は、リード８０が取り付けられている第一リードリング７８により、上記鞍帯リングを通って後ろに通ることを防止されている。上記ループ７４をなす上記胸部ストラップの一部は、上記第一リードリング７８を通っている。上記第一リードリング７８は、上記鞍帯リングが上記胸部ストラップ６２から抜け落ちないような直径となっている。
【００２３】
この態様において、固定用連結部は、上記鞍帯リング７６に取り付けられた開閉可能なバネクリップ８４からなる。上記バネクリップ８４は、図３から分かるように、犬９０に取り付けたとき、上記クリップ８４がリング８６に取り付けられており、上記リング８６は上記犬９０の首輪８８においてスライド可能であるような長さである。したがって、使用に際し、上記胸部ストラップ６２は上記犬９０の胸部を横切って正しい位置に保持される。
【００２４】
上記胸部ストラップ６２に備えられた上記長さ調節器１００のほかに、上記背部ストラップ６８にも長さ調節器１０２が、上記下部ストラップ７０にも長さ調節器１０４が備えられているので、上記ハーネスはさまざまなサイズの犬に対応できる。上記胴体ループ６４の自由端は、上記下部ストラップ７０の上記調節器１０４から出るようになっており、上記下部ストラップ７０において保持ループ１０６によって保持される。
【００２５】
上記背部ストラップ６８には通常その中央に第二リードリング１０８が備えられている。上記胴体ループ６４をなすベルトの両端は上記第二リードリング１０８に取り付けられている。
【００２６】
図６から分かるように、使用時には、上記ハーネス６０は、上記胸部ストラップ６２が犬の前肢９２の前で上記犬の胸部を横切り、上記背部ストラップ６８がその前肢９２の上で上記犬の背中を横切り、上記下部ストラップ７０がその前肢９２のすぐ後ろを通るように、犬９０に取り付ける。上記下部ストラップ７０の上記留め金７２を開くことにより、上記ハーネスを上記犬９０の周りに装着して、閉じることにより上記ハーネスを上記犬に正しく位置決めできる。
【００２７】
上記固定用連結クリップ８４は、上記犬の首周りの首輪８８上でスライド可能なリング８６に取り付けられる。上記固定用連結クリップ８４は、上記犬の胸部を横切る正しい位置で上記胸部ストラップ６２を維持するのに役立つ。リード８０は、上記胸部ストラップ６２の上記第一リードリング７８と上記背部ストラップ６８の第二リードリング１０８とに取り付けられる。特に、この態様における上記ハーネス６０は、両端にリードリングへ接続するためのクリップを備えた単一リード８０とともに使用するのに適している。
【００２８】
この態様における上記ハーネスは、上記第一の態様における上記ハーネスと実質的に同じ方法によって犬を制御できる。上記ハーネス６０を装着した犬を散歩させるとき、上記リード８０は、上記胸部ストラップ６２の上記第一リードリング７８に取り付けられたその端部が、上記犬の右側または左側になるように保持される。通常の前進歩行では、上記鞍帯リング７６と上記第一リードリング７８が上記犬の胸部を横切る中央に位置する。もし、上記犬が上記リードに抗して引っ張っても、上記固定用連結クリップ８４が、この状態で、上記胸部ストラップ６２が犬の胸部上を後ろに滑るのを防ぐため、犬は即座に制御される。
【００２９】
上記犬を上記リードが通っている側の方向に向かせるためには、上記リードをその方向にやさしく引けばよい。そうすることにより、上記背部ストラップ７８が上記犬の反対側の肩をそっと押すので、上記犬は上記リードの方向に向くよう仕向けられる。同時に、上記リード８０は上記背部ストラップ６８の上記第二リードリング１０８に取り付けられた端部にかなり近い部分で保持されるので、上記犬は上記リードが回転するとその端部を中心に旋回する。上記犬の体の周りで上記ハーネス６０が滑るのを上記リードリング７６と上記鞍帯リング７４とによって、また、上記リードが引かれた方向に上記ハーネスの上記胸部ストラップ６２に沿ってスライドする上記固定用連結クリップ８４と、さらに、上記リード８０の第二リードリング１０８と上記背部ストラップ６８への作用とによって防いでいる。上記鞍帯７４と上記第一リードリング７６との仕組みは、上記両リングが上記胸部ストラップ６２において完全に自由にスライドする訳ではなく、上記胴体ループ６４の上記背部７８によって上記犬の反対側の肩をそっと押している間、上記ハーネスが滑るのを防止するのに充分な程度にスライドする。上記胸部ストラップ６２は、上記固定用連結クリップ８４により、上記犬の胸部で後ろ方向への動きが制限されている。
【００３０】
上記犬をもう一方の方向に向かせるためには、上記リードは上記犬の前を通して、上記リードが上記犬の反対側を通るようにする。向きを変えさせる方法は上述の通りである。または、上記リードを上記犬の同じ側のままにして、上記犬を逆側に向かせてもよい。上記リードを上記犬の首の反対方向にやさしく引けば、上記犬は上記リードとは反対方向に向きを変えるよう誘導される。ここでもまた、上記犬は上記リードが回転すると上記背部ストラップ６８の上記第二リードリング１０８に取り付けられた上記リード８０の端部を中心にして旋回する。
【００３１】
ハーネス６０を装着した犬が前進をいやがった場合には、上記リードをやさしく引くことにより前進するよう仕向けることができる。
【００３２】
上記ハーネス１０，６０の上記ストラップ類はウェビング製であり、その一部または全てがネオプレンで裏打ちされていてもよい。上記ストラップ類の幅と厚みは上記ハーネスを装着する犬の大きさや強さによって決めればよい。一般的には、上記ストラップ類の幅は１ｃｍ〜３ｃｍであり、上記ストラップ類の厚みは約１ｍｍである。
【００３３】
図３および図６において図示される、上記リード３０，８０、上記首輪３８，８８、上記首輪３８，８８の上記リング３６，８６、上記犬４０，９０は、本発明の一部をなさない。
【００３４】
上記のように、本発明は犬および四足動物用のハーネスを提供するものであり、リードという手段によって動物に不快感を与えることなく、上記動物を容易に効果的に制御することができる。
【図面の簡単な説明】
【００３５】
【図１】本発明の第一の好ましい態様のハーネスの斜視図である。
【図２】図１のハーネスの側面図である。
【図３】図１と図２のハーネスを犬に装着した説明図である。
【図４】本発明の第二の好ましい態様のハーネスの斜視図である。
【図５】図４のハーネスの側面図である。
【図６】図４と図５のハーネスを犬に装着した説明図である。
【図１】
2007508836.tif 000003
【図２】
2007508836.tif 000004
【図３】
2007508836.tif 000005
【図４】
2007508836.tif 000006
【図５】
2007508836.tif 000007
【図６】
2007508836.tif 000008
【手続補正書】
【提出日】平成17年4月11日(2005.4.11)
【手続補正１】
【補正対象書類名】特許請求の範囲
【補正対象項目名】全文
【補正方法】変更
【補正の内容】
【特許請求の範囲】
【請求項１】
ハーネス使用時に前肢の前で四足動物の胸部を横切る胸部ストラップと、上記胸部ストラップの各端部が取り付けられた、上記ハーネス使用時に上記前肢の後ろで上記動物の胴体周りを通る胴体用ループと、先導ストラップ用付属部品とを備えた四足動物用ハーネスであって、上記付属部品が上記胸部ストラップに沿ってその動きに応じてスライド可能なように取り付けられている四足動物用ハーネス。
【請求項２】
上記先導ストラップ用付属部品は上記胸部ストラップが通るリングである請求項１記載のハーネス。
【請求項３】
さらに固定用連結部を備えており、上記固定用連結部の一端が上記胸部ストラップに取り付けられており、その他端が上記ハーネス使用時に上記動物の首周囲の首輪に取り付けられるようになっている請求項１または２記載のハーネス。
【請求項４】
上記固定用連結部が上記胸部ストラップに沿ってその動きに応じてスライド可能なように取り付けられている請求項３記載のハーネス。
【請求項５】
上記先導ストラップ用付属部品と上記固定用連結部とが、上記胸部ストラップに沿ってともに動くように連結されている請求項４記載のハーネス。
【請求項６】
上記固定用連結部が鞍帯に連結され、上記鞍帯には上記胸部ストラップのループが通る請求項３〜５のいずれか一項に記載のハーネス。
【請求項７】
上記先導ストラップ用付属部品が上記胸部ストラップの上記ループに取り付けられており、これにより上記鞍帯が上記胸部ストラップに保持されている請求項６記載のハーネス。
【請求項８】
上記胴体用ループが、上記ハーネス使用時、上記動物の背部を横切る背部ストラップを備え、上記背部ストラップは、上記ハーネス使用時、上記前肢の後ろで上記動物の下を通る下部ストラップに取り付けられている請求項１記載のハーネス。
【請求項９】
上記背部ストラップが揺動可能に上記下部ストラップに取り付けられている請求項８記載のハーネス。
【請求項１０】
先導ストラップ用第二付属部品が上記背部ストラップに備えられている請求項８または９記載のハーネス。
【請求項１１】
上記胸部ストラップの両端が、上記背部ストラップと上記下部ストラップとの連結部で上記胴体ループに揺動可能に取り付けられる請求項８〜１０いずれか一項に記載のハーネス。
【請求項１２】
上記胴体ループが留め金を備えており、上記留め金により上記胴体ループを開いて上記ハーネス使用時に上記ハーネスを動物に装着したり、取り外したりできる請求項８〜１１いずれか一項に記載のハーネス。
【請求項１３】
少なくとも１つのストラップまたはループの長さが調整可能である上記いずれか一項に記載のハーネス。
【請求項１４】
犬専用である上記いずれか一項に記載のハーネス。
【請求項１５】
上記胸部ストラップに取り付けられた先導ストラップ用付属部品が、上記胸部ストラップに沿った自由な動きに対して制約がある上記いずれか一項に記載のハーネス。
【請求項１６】
先導ストラップ用第二付属部品が、上記背部ストラップに沿った自由な動きに対して制約がある上記いずれか一項に記載のハーネス。
【請求項１７】
上記胸部ストラップがポリエステルウェビング製である上記いずれか一項に記載のハーネス。
【請求項１８】
上記いずれか一項に記載のハーネスを犬または他の四足動物に取り付け、上記先導ストラップ用付属部品または先導ストラップ用各付属部品に先導ストラップを取り付ける、犬または他の四足動物を制御する方法。
【国際調査報告】
2007508836.tif 000009
2007508836.tif 000010
2007508836.tif 000011
2007508836.tif 000012
2007508836.tif 000013